(57)【特許請求の範囲】
【請求項１】
ハウジング１の端面に開口する第１空洞２をハウジング１に形成し、第１空洞２に錠ケース３を出没可能に収納し、錠ケース３に錠前ユニット４を収納し、ハウジング１に掛金体５が挿入される受溝６を形成し、受溝６内に出入りして掛金体５に係合する受金ピン７をハウジング１の受孔８に嵌挿し、受金ピン７を錠ケース３に相対回転可能に連結し、錠前ユニット４のロータ９に受金ピン７を連結し、第１空洞２に連続する第２空洞１０にカム円盤１１を収容し、カム円盤１１を受金ピン７に連結し、ハウジング１のガイド孔１２に嵌挿したラッチボルト１３をバネ１４によってカム円盤１１に向かって移動付勢し、カム円盤１１の下面側周縁部の一部を切り欠いて錠止段部１５を形成し、錠止段部１５の一対の内壁面の奥部に駆動カム面３３を形成し、ラッチボルト１３の先端部分１３ａの側面部に一対の従動カム面３４を形成し、ラッチボルト１３の先端部分１３ａの下面部にカム円盤１１の周縁肩部に押されるラッチ動作用カム斜面３５を形成してあり、ラッチボルト１３の先端部１３ａをカム円盤１１の前記錠止段部１５に係合させて、第１空洞２からの錠ケース３の脱出を制止し、錠前ユニット４の鍵１６によってカム円盤１１を回転させて、カム円盤１１の前記駆動カム面３３でラッチボルト１３の前記従動カム面３４を押すことによって、ラッチボルト１３の先端部分１３ａをカム円盤１１の錠止段部１５から押し出して、ラッチボルト１３とカム円盤１１の係合を解除し、錠ケース３の突出移動により受金ピン７と掛金体５の係合を解除するようにした受金ピン抜差し型錠装置。
【発明の詳細な説明】
【０００１】
【発明が属する技術分野】
本発明は自動販売機の扉等に使用される錠装置に関するものである。
【０００２】
【従来の技術】
一般の扉等に使用されている錠装置では、操作者が鍵をロータの鍵孔に挿入して所定方向に回すと、内蔵の連動機構を介してロック部材が施錠位置に駆動されるものであるが、ロック部材が係合する筐体や建物側の受金部材は、防犯対策上から操作者によく見えない位置に設けられているため、ロック部材が受金部材に正規位置において完全に係合しているかどうかを操作者が目視確認することは困難である。
【０００３】
通常は、鍵が正規の施錠角度である９０度まで回転したかどうかを、鍵の回転終端における位置姿勢によって判別するのであるが、経年使用によって鍵や鍵孔の摩り減りが進み、鍵がぐらつくようになった段階では、この判別の正確性は保証の限りではない。
そのため、ロック部材が受金部材と完全に係合していない所謂半掛かりの状態であるのにもかかわらず、施錠成立と誤信して操作者が立ち去ったときには、後で振動衝撃によってロック部材と受金部材の半掛かり状態が偶発的に解除され、扉等が無意図的に開いてしまう危険性がある。
【０００４】
【発明が解決しようとする課題】
したがって本発明の目的は、施錠が操作者の手動操作によって操作者の目視下において実感的に完全になされることになり、施錠の確実性と信頼性に優れている受金ピン抜差し型の錠装置を提供することである。
【０００５】
【課題を解決するための手段】
以下、添付図面中の参照符号を用いて説明すると、請求項１の発明の錠装置は、ハウジング１の端面に開口する第１空洞２をハウジング１に形成し、第１空洞２に錠ケース３を出没可能に収納し、錠ケース３に錠前ユニット４を収納し、ハウジング１に掛金体５が挿入される受溝６を形成し、受溝６内に出入りして掛金体５に係合する受金ピン７をハウジング１の受孔８に嵌挿し、受金ピン７を錠ケース３に相対回転可能に連結し、錠前ユニット４のロータ９に受金ピン７を連結し、第１空洞２に連続する第２空洞１０にカム円盤１１を収容し、カム円盤１１を受金ピン７に連結し、ハウジング１のガイド孔１２に嵌挿したラッチボルト１３をバネ１４によってカム円盤１１に向かって移動付勢し、カム円盤１１の下面側周縁部の一部を切り欠いて錠止段部１５を形成し、錠止段部１５の一対の内壁面の奥部に駆動カム面３３を形成し、ラッチボルト１３の先端部分１３ａの側面部に一対の従動カム面３４を形成し、ラッチボルト１３の先端部分１３ａの下面部にカム円盤１１の周縁肩部に押されるラッチ動作用カム斜面３５を形成してあり、ラッチボルト１３の先端部１３ａをカム円盤１１の前記錠止段部１５に係合させて、第１空洞２からの錠ケース３の脱出を制止し、錠前ユニット４の鍵１６によってカム円盤１１を回転させて、カム円盤１１の前記駆動カム面３３でラッチボルト１３の前記従動カム面３４を押すことによって、ラッチボルト１３の先端部分１３ａをカム円盤１１の錠止段部１５から押し出して、ラッチボルト１３とカム円盤１１の係合を解除し、錠ケース３の突出移動により受金ピン７と掛金体５の係合を解除するものである。
【０００６】
【発明の作用】
請求項１の発明では、掛金体５と受金ピン７の係合によって防護対象物を施錠するには、施錠対象物に連結してある掛金体５の先端部分をハウジング１の受溝６に嵌め入れ、錠ケース３を第１空洞２内で押し動かして受金ピン７を前記受溝６内に突出させ、受金ピン７を掛金体５に差し込む。
このように錠ケース３を押し動かす過程において、カム円盤１１の周縁肩部が先端部分１３ａのラッチ動作用カム斜面３５を押すため、ラッチボルト１３はバネ１４の付勢に抗して後退移動させられる。受金ピン７が掛金体５に差し込み係合したとき、ラッチボルト１３はバネ１４の付勢によって前進移動し、ラッチボルト１３の先端部分１３ａがカム円盤１１の錠止段部１５に係合する。
【００１１】
このラッチボルト１３との係合によってカム円盤１１はハウジング１に対して移動不能に拘束され、受金ピン７を介してカム円盤１１に連結されている錠ケース３もまた当該押し込み位置に拘束される。そのため、受金ピン７は掛金体５に差し込まれた施錠位置に拘束される。
施錠を解除するには、錠前ユニット４のロータ９の鍵孔に鍵１６を挿入し、鍵１６によってロータ９を所定方向に回す。このロータ９の回転に付随してカム円盤１１が回転するため、カム円盤１１の駆動カム面３３によってラッチボルト１３の従動カム面３４が押されて、ラッチボルト１３はバネ１４の付勢に抗して後退移動させられ、ラッチボルト１３の先端部分１３ａがカム円盤１１の錠止段部１５から脱出する。
【００１２】
このようにしてカム円盤１１がハウジング１に対する拘束から解放されるため、カム円盤１１と受金ピン７と錠ケース３は第１空洞２と第２空洞１０内を一体となって移動し、錠ケース３はハウジング１から突出することができる。
錠ケース３が所定長さまでハウジング１から突出したとき、受金ピン７は前記受溝６から脱出して前記受孔８側に退没し、受金ピン７が掛金体５から抜き取られる。これによって解錠動作が完了し、施錠対象物の錠止拘束が解除される。
【００１３】
【発明の実施の形態】
図１から図２８に示した実施例では、本発明の受金ピン抜差し型錠装置は、自動販売機の扉を筐体に対して錠止拘束するのに使用されている。
掛金体５はアーム状に形成されており、自動販売機の筐体２１にボルト締めによって固着される軸受体２２の割溝部２３に掛金体５の基端部が嵌め込まれ、垂直枢軸２４によって水平面内で旋回するように連結されている。垂直枢軸２４と掛金体５の軸孔２５の間にはカラー筒２６が挿入されている。掛金体５の先端部分には受金ピン７が差し込まれる垂直透孔２７を形成してある。垂直枢軸２４はロックビス５４によって軸受体２２に締付け固定されている。
図２９に示した実施例では、掛金体５は自動販売機の筐体２１に直接固着されており、
水平面内では旋回しないものである。
【００１４】
図２と図４及び図６から図９に示したように、ハウジング１の第１空洞２はハウジング１の下側端面に開口しており、第１空洞２の横断面は三つの角部を丸めた略四辺形状に形成されている。図１０から図１７に示したように錠ケース３は第１空洞２と同形の断面を有するため、第１空洞２に嵌め込まれた錠ケース３はハウジング１に対して回転することができない。
図１に示したようにハウジング１は背面１ａ側に形成したねじ孔３２を利用して、中間にスペーサーまたは台座５３を挿入して扉２９の端面壁部にボルト締め固着される。図２と図３に示したように受溝６はハウジング１の正面と左右側面に開口させてハウジング１の上部に横長に形成されている。図１に示した実施例では、扉２９を一側の蝶番軸（図示していない）を中心に閉鎖回転させた後、図２８に示したように垂直枢軸２４を中心に掛金体５を水平旋回させると、図１に示したように閉鎖位置に待ち受けている受溝６に掛金体５の先端部分が入り込む。
図２９の実施例では、扉２９を閉鎖回転させると、不動位置にある掛金体５の先端部分が見掛け上受溝６に入り込む。
【００１５】
図２と図６に示したように受金ピン７が係合する受孔８は、受溝６の下側壁面と上側壁面の双方に形成されており、上側壁面の受孔８は盲孔に形成されている。ハウジング１の扉２９に対する固着に当たっては、該受孔８の軸線上に掛金体５の垂直透孔２７が来るように位置調整される。
図１２と図１５に示したように錠ケース３には、下面側に開口した錠前収納部２８が形成されている。錠前収納部２８の下方部分は大径の円形孔２８ａに形成され、中間部分は断面小判形孔２８ｂに形成され、上端部分は小径の段付き円形孔２８ｃに形成されている。段付き円形孔２８ｃには丸棒状の受金ピン７の基端部が嵌挿されている。
【００１６】
第２空洞１０は第１空洞２よりも小径に形成され、その中央部に前記受孔８が形成されている。カム円盤１１の中央透孔３０に嵌挿された受金ピン７は直径方向の透孔５５を通る固定ピン３１によってカム円盤１１に固着されている。カム円盤１１が錠ケース３の上面に当接し、錠前収納部２８の段付き円形孔２８ｃの環状段面２８ｄに受金ピン７の環状鍔部７ａが当接しているため、受金ピン７とカム円盤１１及び錠ケース３は一体となってハウジング１の縦軸方向に移動可能となっているとともに、受金ピン７とカム円盤１１は錠ケース３に対して回転可能となっている。
【００１７】
図２１から図２３に示したようにカム円盤１１は、下面側周縁部の一部が切り欠きされて錠止段部１５が形成されている。錠止段部１５の一対の内壁面の奥部には傾斜角度４５度の駆動カム面３３が形成されている。
図２４から図２６に示したようにラッチボルト１３は平板状に形成され、先端部分１３ａの側面部に傾斜角度４５度の一対の従動カム面３４が形成され、先端部分１３ａの下面部にラッチ動作用カム斜面３５が形成されている。カム円盤１１が回転するとき、駆動カム面３３が従動カム面３４を押すことによって、ラッチボルト１３の先端部分１３ａがカム円盤１１の錠止段部１５から押し出される。
ラッチボルト１３の基端部分の側面部には、図８に示したようにガイド孔１２の途中の肩面３６に係脱する停止突起３７を形成してある。停止突起３７と肩面３６が係合することによって、ラッチボルト１３は第２空洞１０内への脱落を阻止される。
【００１８】
ラッチボルト１３の付勢用バネ１４は圧縮コイルバネで構成されており、バネ１４の一端部はラッチボルト１３の基端部の丸孔３８に挿入され、バネ１４の他端部はバネ受板３９の凹部４０に挿入されている。バネ受板３９はハウジング１の背面部の収容溝４１に嵌めこまれ、ビス４２によってハウジング１に締付け固着されている。図１８から図２０に示したようにバネ受板３９には全体としてＬ字状をなすように延長板部４３が形成されており、延長板部４３の下端部にストッパー部材２０が突設されている。
図１３と図１６に示したように錠ケース３の外側面の一つの角部には、上下方向に長い規制溝４４が形成されており、図９に示したようにストッパー部材２０が、ハウジング１の隔壁の開口５６を通して規制溝４４に挿入されている。
ストッパー部材２０が規制溝４４の上下壁面４４ａ，４４ｂに当接することによって、錠ケース３の押し動かし時と引出し時のストロークが決定されている。すなわち、ハウジング１の第１空洞２からの錠ケース３の突出を、取付機構１９の操作が可能となる範囲内にストッパー部材２０によって限定したので、第１空洞２から錠ケース３を完全に抜き取る場合とは異なり、錠ケース３及び錠前ユニット４の紛失や破損の危険性がない。
【００１９】
錠前ユニット４としては、施錠位置においてのみ鍵１６が抜差しされる公知構造のシリンダー錠が使用されている。錠ケース３の錠前収納部２８は下向きに開口しており、錠前ユニット４はロータ９の鍵孔４５を下向きにして装着されているため、不正解錠や不正破錠が困難になっている。
錠前ユニット４の固定本体４６の頭部は円形に形成されており、図６に示したように錠ケース３の錠前収納部２８の前記円形孔２８ａに嵌めこまれる。固定本体４６の胴部は小判形断面に形成されており、錠前収納部２８の前記小判形断面孔２８ｂに嵌めこまれる。固定本体４６の末端部分とロータ取付用ナット５８は、錠前収納部２８の前記段付き円形孔２８ｃに嵌め込まれている。
【００２０】
錠前ユニット４は、錠ケース３の横側面から操作される取付機構１９によって錠ケース３に固定される。この取付機構１９は、固定本体４６の前記胴部のねじ山部に螺合される固定リング４７と、錠ケース３の側面開口４８から錠前収納部２８に挿入されるＵ字状金具５７とからなり、Ｕ字状金具５７はビス４９によって錠ケース３の中間壁部３ａに締付け固定される。固定リング４７の外周溝５０にはＵ字状金具５７の脚部突起５１が係合しており、これによって錠前ユニット４の抜き取りが制止されている。
前記取付機構１９は、鍵１６の挿入回転によって錠ケース３をハウジング１の第１空洞２から突出させたとき、ハウジング１の外部に露出するようになっているから、ハウジング１を自動販売機等から取外さなくても、錠前ユニット４の点検や交換作業を行える簡便性に優れている
ロータ９の断面小判形の先端部９ａは、図６に示したように受金ピン７の基端部の同形断面の連結孔５２に嵌め込まれている。
【００２１】
上記実施例では、ラッチボルト１３とカム円盤１１の係合を解除した解錠位置においては、鍵１６が錠前ユニット４から抜き取れない構造になっており、鍵１６が錠前ユニット４に拘束されているため、鍵１６を引くことによって錠ケース３をハウジング１の第
１空洞２から的確に引き出することができる。
このように鍵１６によって錠ケース３を牽引することができるため、ハウジング１の配置態様は第１空洞２の開口を下向きにした態様に限定されず、用途や適用場所に応じて適宜に変更することができる。
【００２２】
また、上記実施例では、受金ピン７が嵌められる受孔８は、掛金体５が入り込む受溝６の相対向する二壁面に跨って形成されているため、受金ピン７が掛金体５と係合した施錠状態においては、受金ピン７はハウジング１によって両持支持されることになり、相当大きな外力が加えられても、掛金体５と受金ピン７の係合が破壊されることがなく、不法破錠に対する防護機能が増大する。
【００２３】
【発明の効果】
以上のように請求項１の発明の受金ピン抜差し型錠装置では、ハウジング１の第１空洞２に錠ケース３を移動可能に収納し、ハウジング１の受溝６内に出入りして掛金体５に係合する受金ピン７を錠ケース３に相対回転可能に連結し、錠前ユニット４のロータ９に連結した受金ピン７をハウジング１の受孔８に嵌挿し、ハウジング１の第２空洞１０に収容したカム円盤１１を受金ピン７に連結し、ハウジング１のガイド孔１２に嵌挿したラッチボルト１３をカム円盤１１に向かってバネ付勢し、ラッチボルト１３をカム円盤１１の側面の錠止段部１５に係合させて、第１空洞２からの錠ケース３の脱出を制止するものであり、錠ケース３をハウジング１の第１空洞２に沿って押し動かすことによって、受金ピン７をハウジング１の受溝６に押し出し、この押し出した受金ピン７を受
溝６内の掛金体５に差し込むものであるから、施錠は操作者の手動操作によって操作者の目視下において実感的に完全になされることになり、施錠の確実性と信頼性に優れている。
また、錠前ユニット４の鍵１６によってカム円盤１１を回転させ、カム円盤１１の駆動カム面３３でラッチボルト１３の従動カム面３４を押すことによって、ラッチボルト１３をバネ１４の付勢に抗して後退移動させ、ラッチボルト１３の先端部分１３ａをカム円盤１１の錠止段部１５から脱出させて、ラッチボルト１３とカム円盤１１の係合を解除すると、錠ケース３が解錠位置に移動し、受金ピン７が掛金体５から直ちに抜き取れらるものであるから、解錠操作の迅速性と確実性にも優れている。
【図面の簡単な説明】
【図１】  本発明の一実施例に係る錠装置を自動販売機の扉に適用したときの平面図である。
【図２】  図１の錠装置の正面図である。
【図３】  図１の錠装置の右側面図である。
【図４】  図１の錠装置の底面図である。
【図５】  図１の錠装置の背面図である。
【図６】  図２のＡ−Ａ線断面図である。
【図７】  図２のＢ−Ｂ線断面図である。
【図８】  図２のＣ−Ｃ線断面図である。
【図９】  図２のＤ−Ｄ線断面図である。
【図１０】  図１の錠装置に用いた錠ケースの平面図である。
【図１１】  図１０の錠ケースの右側面図である。
【図１２】  図１０の錠ケースの底面図である。
【図１３】  図１０の錠ケースの左側面図である。
【図１４】  図１０の錠ケースの正面図である。
【図１５】  図１０の錠ケースの縦断面図である。
【図１６】  図１５のＥ−Ｅ線断面図である。
【図１７】  図１５のＦ−Ｆ線断面図である。
【図１８】  図１の錠装置に用いたストッパー部材の平面図である。
【図１９】  図１８のストッパー部材の正面図である。
【図２０】  図１８のストッパー部材の右側面図である。
【図２１】  図１の錠装置に用いたカム円盤の平面図である。
【図２２】  図２１のカム円盤の底面図である。
【図２３】  図２１のＧ−Ｇ線断面図である。
【図２４】  図１の錠装置に用いたラッチボルトの平面図である。
【図２５】  図２４のラッチボルトの右側面図である。
【図２６】  図２４のＨ−Ｈ線断面図である。
【図２７】  図１の錠装置に用いた掛金体の一部縦断正面図である。
【図２８】  図２７の掛金体の平面図である。
【図２９】  本発明の別の実施例に係る錠装置の平面図である。
【符号の説明】
１  ハウジング
２  第１空洞
３  錠ケース
４  錠前ユニット
５  掛金体
６  受溝
７  受金ピン
８  受孔
９  ロータ
１０  第２空洞
１１  カム円盤
１２  ガイド孔
１３  ラッチボルト
１４  バネ
１５  錠止段部
１６  鍵
１９  取付機構
２０  ストッパー部材
【図１】
0003717448.tif 000002
【図２】
0003717448.tif 000003
【図３】
0003717448.tif 000004
【図４】
0003717448.tif 000005
【図５】
0003717448.tif 000006
【図６】
0003717448.tif 000007
【図７】
0003717448.tif 000008
【図８】
0003717448.tif 000009
【図９】
0003717448.tif 000010
【図１０】
0003717448.tif 000011
【図１１】
0003717448.tif 000012
【図１２】
0003717448.tif 000013
【図１３】
0003717448.tif 000014
【図１４】
0003717448.tif 000015
【図１５】
0003717448.tif 000016
【図１６】
0003717448.tif 000017
【図１７】
0003717448.tif 000018
【図１８】
0003717448.tif 000019
【図１９】
0003717448.tif 000020
【図２０】
0003717448.tif 000021
【図２１】
0003717448.tif 000022
【図２２】
0003717448.tif 000023
【図２３】
0003717448.tif 000024
【図２４】
0003717448.tif 000025
【図２５】
0003717448.tif 000026
【図２６】
0003717448.tif 000027
【図２７】
0003717448.tif 000028
【図２８】
0003717448.tif 000029
【図２９】
0003717448.tif 000030